(57)【要約】  OFDMマクロネットワーク、たとえば、セルラーネットワークによって使用されている通信リソースを介して、第1のデバイス、たとえば、フェムトセルデバイスまたはピアツーピアデバイスからショートメッセージを伝達するための方法および装置が説明される。信号は、マクロ信号が送信される同じ通信リソース、たとえばセルラー基地局からのダウンリンク信号が送信される同じ通信リソース上を進み、たとえば、その同じ通信リソース上で送信される。フェムトセルおよび/またはピアツーピアデバイスからの信号は、マクロ基地局からの信号と同じリソース上で送信されるので、それらは、マクロ信号に干渉し、マクロ信号の一部分を破壊する可能性がある。しかしながら、フェムトセルおよび/またはピアツーピアデバイスによって送信される信号は、スループット全体の観点からはマクロ基地局に対してほとんど干渉せず、かつ/あるいは制御および/またはパイロット情報を伝達するマクロ基地局の能力にほとんど干渉しないように設計されている。
2015504281.tif 000002
【特許請求の範囲】
【請求項１】
基地局によっても使用されている通信リソースを使用して情報を伝達するように、前記基地局のセル内に位置する第1の通信デバイスを動作させる方法であって、
トラフィックデータを伝達するために前記基地局によって使用されているリソースブロックを識別するステップと、
情報を送信するのに使用するために前記第1の通信デバイスに前記リソースブロック内で利用可能なトーンシンボルのセットを識別するステップと、
前記基地局によって使用されているリソースブロックのセットにおける限られた数の利用可能なトーンシンボル上でエネルギーを送信するステップによって、情報を伝達するステップと
を含む方法。
【請求項２】
情報を伝達するステップが、前記情報を伝達するために位置符号化を使用するステップを含み、エネルギーが送信されるトーンシンボルの前記リソースブロック内の位置が、情報を伝達するために使用される、請求項1に記載の方法。
【請求項３】
トラフィックデータを伝達するために前記基地局によって使用されているリソースブロックを識別するステップが、
制御情報を送信するために使用されるリソースブロックおよびトラフィックデータを送信するために使用されるリソースブロックを識別する基地局送信スケジューリング情報を格納するステップと、
前記第1の通信デバイスを前記基地局に同期させるステップと、
前記格納された基地局送信スケジューリング情報、および前記基地局との前記第1の通信デバイスのタイミング同期に基づいて、トラフィックデータを送信するために前記基地局によって使用されるリソースブロックを識別するステップと
を含む、請求項1に記載の方法。
【請求項４】
情報を伝達するステップが、
エネルギーが送信され得るリソースブロックのトーンシンボルの前記セットから、パイロット信号を送信するために前記基地局によって使用されるトーンシンボルを除外するステップを含む、請求項3に記載の方法。
【請求項５】
前記基地局によって使用されているリソースブロックのセットにおける限られた数の利用可能なトーンシンボル上でエネルギーを送信するステップが、リソースブロックの前記セットにおける各リソースブロック内の前記トーンシンボルの2パーセント未満でエネルギーを送信するステップを含む、請求項4に記載の方法。
【請求項６】
前記基地局によって使用されているリソースブロックのセットにおける限られた数の利用可能なトーンシンボル上でエネルギーを送信するステップが、各リソースブロックのわずか単一のトーンシンボル上でエネルギーを送信するステップを含む、請求項5に記載の方法。
【請求項７】
各リソースブロックが少なくとも50個のトーンシンボルを含む、請求項6に記載の方法。
【請求項８】
リソースブロックのセットにおける限られた数の利用可能なトーンシンボル上でエネルギーを送信するステップが、トラフィックデータを送信するために前記第1の通信デバイスによって使用される最も高い送信電力レベル以上の送信電力レベルで個々のトーンシンボル上で電力を送信するステップを含む、請求項5に記載の方法。
【請求項９】
前記第1の通信デバイスが、前記基地局に対応するマクロセル内に位置するフェムトセルデバイスである、請求項1に記載の方法。
【請求項１０】
トラフィックデータを伝達するために基地局によって使用されているリソースブロックを識別するための手段と、
情報を送信するのに使用するために第1の通信デバイスに前記リソースブロック内で利用可能なトーンシンボルのセットを識別するための手段と、
前記基地局によって使用されているリソースブロックのセットにおける限られた数の利用可能なトーンシンボル上でエネルギーを送信することによって、情報を伝達するための手段と
を備える第1の通信デバイス。
【請求項１１】
情報を伝達するための前記手段が、前記情報を伝達するために位置符号化を使用するための手段を含み、エネルギーが送信されるトーンシンボルの前記リソースブロック内の位置が、情報を伝達するために使用される、請求項10に記載の第1の通信デバイス。
【請求項１２】
トラフィックデータを伝達するために前記基地局によって使用されているリソースブロックを識別するための前記手段が、
制御情報を送信するために使用されるリソースブロックおよびトラフィックデータを送信するために使用されるリソースブロックを識別する基地局送信スケジューリング情報を格納するための手段と、
前記第1の通信デバイスを前記基地局に同期させるための手段と、
前記格納された基地局送信スケジューリング情報、および前記基地局との前記第1の通信デバイスのタイミング同期に基づいて、トラフィックデータを送信するために前記基地局によって使用されるリソースブロックを識別するための手段と
を含む、請求項10に記載の第1の通信デバイス。
【請求項１３】
情報を伝達するための前記手段が、
エネルギーが送信され得るリソースブロックのトーンシンボルの前記セットから、パイロット信号を送信するために前記基地局によって使用されるトーンシンボルを除外するための手段を含む、請求項12に記載の第1の通信デバイス。
【請求項１４】
リソースブロックの前記セットにおける各リソースブロック内の前記トーンシンボルの2パーセント未満でエネルギーを送信するための手段をさらに備える、請求項13に記載の第1の通信デバイス。
【請求項１５】
第1の通信デバイスにおいて使用するためのコンピュータプログラムであって、
少なくとも1つのコンピュータに、トラフィックデータを伝達するために基地局によって使用されているリソースブロックを識別させるためのコードと、
前記少なくとも1つのコンピュータに、情報を送信するのに使用するために前記第1の通信デバイスに前記リソースブロック内で利用可能なトーンシンボルのセットを識別させるためのコードと、
前記少なくとも1つのコンピュータに、前記基地局によって使用されているリソースブロックのセットにおける限られた数の利用可能なトーンシンボル上でエネルギーを送信することによって、情報を伝達させるためのコードと
を含む、コンピュータプログラム。
【請求項１６】
トラフィックデータを伝達するために基地局によって使用されているリソースブロックを識別し、
情報を送信するのに使用するために第1の通信デバイスに前記リソースブロック内で利用可能なトーンシンボルのセットを識別し、
前記基地局によって使用されているリソースブロックのセットにおける限られた数の利用可能なトーンシンボル上でエネルギーを送信することによって、情報を伝達する
ように構成された少なくとも1つのプロセッサと、
前記少なくとも1つのプロセッサに結合されたメモリと
を備える第1の通信デバイス。
【請求項１７】
前記少なくとも1つのプロセッサが、情報を伝達するように構成されることの一部として、前記情報を伝達するために位置符号化を使用するように構成され、エネルギーが送信されるトーンシンボルの前記リソースブロック内の位置が、情報を伝達するために使用される、請求項16に記載の第1の通信デバイス。
【請求項１８】
前記少なくとも1つのプロセッサが、
制御情報を送信するために使用されるリソースブロックおよびトラフィックデータを送信するために使用されるリソースブロックを識別する基地局送信スケジューリング情報を格納し、
前記第1の通信デバイスを前記基地局に同期させ、
トラフィックデータを伝達するために前記基地局によって使用されているリソースブロックを識別するように構成されることの一部として、前記格納された基地局送信スケジューリング情報、および前記基地局との前記第1の通信デバイスのタイミング同期に基づいて、トラフィックデータを送信するために前記基地局によって使用されるリソースブロックを識別する
ように構成される、請求項16に記載の第1の通信デバイス。
【請求項１９】
前記少なくとも1つのプロセッサが、
情報を伝達するように構成されることの一部として、エネルギーが送信され得るリソースブロックのトーンシンボルの前記セットから、パイロット信号を送信するために前記基地局によって使用されるトーンシンボルを除外するように構成される、請求項18に記載の第1の通信デバイス。
【請求項２０】
前記少なくとも1つのプロセッサが、前記基地局によって使用されているリソースブロックのセットにおける限られた数の利用可能なトーンシンボル上でエネルギーを送信するように構成されることの一部として、リソースブロックの前記セットにおける各リソースブロック内の前記トーンシンボルの2パーセント未満でエネルギーを送信するように構成される、請求項19に記載の第1の通信デバイス。
【発明の詳細な説明】
【技術分野】
【０００１】
様々な実施形態は、ワイヤレス通信に関し、より詳細には、同じエアリンクリソースのいくつかを同時に使用する2つのワイヤレス通信デバイスに関する。
【背景技術】
【０００２】
比較的大きいセル、たとえばマクロセルにおけるワイヤレス端末と通信するマクロ通信デバイス、たとえば、セルラー基地局は、マクロセル内の他のデバイスが、基地局によってサービスされるワイヤレス端末と通信するために基地局によって使用されている同じ通信リソース、たとえば時間周波数リソースを使用しようと試みるとき、干渉を受けやすい。
【０００３】
マクロ基地局とワイヤレス端末との間の通信への干渉が発生しやすい例としては、(i)マクロセル内に位置するフェムトセルデバイス、たとえばフェムトセル基地局が、同じ通信リソースを使用して、デバイス、たとえばフェムトセルワイヤレス端末と通信する場合、および(ii)マクロセルにおけるピアツーピアデバイスが、マクロセルによって使用されているのと同じリソースを使用して、別のピアツーピア通信デバイスと通信しようと試みる場合が挙げられる。
【０００４】
フェムトセルデバイス、およびピアツーピアデバイスなど他のデバイスは、しばしば、短い信号、たとえば、制御情報、発見信号、および/または他の信号を送信する必要がある。期間および/または信号が伝達するビット数に関して短い場合が多いそのような信号は、デバイスのフェムトセル内での通信、および/または、ピアツーピアデバイスがピアデバイスの発見およびピアツーピア通信の成功を可能にする場合にしばしば重要である。したがって、フェムトセルデバイスまたはピアツーピアデバイスがそのような信号を比較的高電力で送信するのが望ましいことが多い。不都合なことに、マクロ基地局によって使用されている通信リソース上でのそのような信号の送信は、基地局に干渉する可能性があり、特に、そのような信号が、マクロ基地局によって送信されるパイロットおよび/または制御信号に干渉する場合に、マクロセルのスループット全体に悪影響を与える可能性がある。そのような干渉は、特に、たとえば、マクロ基地局とそのマクロ基地局によってサービスされているワイヤレス端末との間の通信への干渉を制限または回避するために、フェムトセルおよびピアツーピアデバイスが基地局によって直接制御されない多くのシステムにおいて問題となっている。
【発明の概要】
【発明が解決しようとする課題】
【０００５】
上記に鑑みて、マクロ基地局と同じリソースを使用するフェムトセルまたはピアツーピアデバイスを基地局が制御するまたはそれらと対話する必要なしに、フェムトセルデバイスおよび/または他のデバイスが、基地局によっても使用されている通信リソースを使用してショートメッセージまたは信号を送信することを可能にする、改良された方法および装置が必要であることが理解されるはずである。
【課題を解決するための手段】
【０００６】
OFDMマクロネットワーク、たとえば、セルラーネットワークによって使用されている通信リソースを介して、第1のデバイス、たとえば、フェムトセルデバイスまたはピアツーピアデバイスからショートメッセージを伝達するための方法および装置が説明される。信号は、マクロ信号、たとえばセルラー基地局のようなマクロセルの基地局からのダウンリンク信号が送信される同じ通信リソース上を進み、たとえば、その同じ通信リソース上で送信される。フェムトセルおよび/またはピアツーピアデバイスからの信号は、マクロ基地局からの信号と同じリソース上で送信されるので、それらは、マクロ信号に干渉し、マクロ信号の一部分を破壊する可能性がある。しかしながら、フェムトセルおよび/またはピアツーピアデバイスによって送信される信号は、スループット全体の観点からはマクロ基地局に対してほとんど干渉せず、かつ/あるいは制御および/またはパイロット情報を伝達するマクロ基地局の能力にほとんど干渉しないように設計されている。
【０００７】
いくつかの実施形態による、基地局によっても使用されている通信リソースを使用して情報をワイヤレス端末に伝達するように、前記基地局のセル内に位置する第1の通信デバイスを動作させる例示的な方法は、トラフィックデータを伝達するために前記基地局によって使用されているリソースブロックを識別するステップと、情報を送信するのに使用するために前記第1の通信デバイスに前記リソースブロック内で利用可能なトーンシンボルのセットを識別するステップと、前記基地局によって使用されているリソースブロックのセットにおける限られた数の利用可能なトーンシンボル上でエネルギーを送信するステップによって情報を伝達するステップとを含む。いくつかの実施形態による例示的な第1の通信デバイスは、トラフィックデータを伝達するために前記基地局によって使用されているリソースブロックを識別し、情報を送信するのに使用するために前記第1の通信デバイスに前記リソースブロック内で利用可能なトーンシンボルのセットを識別し、前記基地局によって使用されているリソースブロックのセットにおける限られた数の利用可能なトーンシンボル上でエネルギーを送信することによって情報を伝達するように構成された少なくとも1つのプロセッサを備える。例示的な第1の通信デバイスは、前記少なくとも1つのプロセッサに結合されたメモリをさらに備える。
【０００８】
上記の概要で様々な実施形態について論じたが、必ずしもすべての実施形態が同じ特徴を含むのではなく、上記の特徴の一部は必須ではないが実施形態によっては望ましい場合があることを理解されたい。多数のさらなる特徴、実施形態、および様々な実施形態の利益について、以下の発明を実施するための形態において論じる。
【図面の簡単な説明】
【０００９】
【図１】様々な例示的な実施形態による例示的な通信システムの図である。
【図２】様々な例示的な実施形態による、第1の通信デバイス、たとえば、フェムトセルデバイスまたはピアツーピアワイヤレスデバイスを動作させる例示的な方法のフローチャートである。
【図３】例示的な実施形態による例示的な第1の通信デバイス、たとえば、フェムトセルデバイスまたはピアツーピアワイヤレスデバイスの図である。
【図４Ａ】図3に示す例示的な第1の通信デバイス内で使用され得る、またはいくつかの実施形態ではその第1の通信デバイス内で使用されるモジュールのアセンブリの第1の部分を示す図である。
【図４Ｂ】図3に示す例示的な第1の通信デバイス内で使用され得る、またはいくつかの実施形態ではその第1の通信デバイス内で使用されるモジュールのアセンブリの第2の部分を示す図である。
【図５】例示的な実施形態による例示的なマクロサブフレーム用の例示的なエアリンクリソースを示す図である。
【図６】図5のサブフレームの制御チャネル用の例示的なエアリンクリソース、および図5のサブフレームのデータセグメント用の例示的なエアリンクリソースを示す図である。
【図７】図6に示す例示的なデータセグメントリソースが、マクロ信号とフェムト信号の両方を搬送するために使用されるリソースブロックに分割された図である。
【図８】図5の例示的なリソースブロック、および一例によるリソースブロックの例示的なトーンシンボルによって搬送される例示的なシグナリングを示す図である。
【発明を実施するための形態】
【００１０】
図1は、例示的な実施形態による例示的な通信システム100の図である。例示的な通信システム100は、複数の広域ネットワーク(WAN)基地局(WANセルラー基地局1 102、…、WANセルラー基地局N 104)を含む。各基地局(WANセルラー基地局1 102、…、WANセルラー基地局N 104)は、対応するセルラーカバレッジエリア(WANセル1 106、…、WANセルN 108)を有する。また、システム100全域を移動し得る複数のセルラーワイヤレス端末、たとえば、セルラー通信をサポートするモバイルノードも存在する。複数のセルラーワイヤレス端末(セルラーワイヤレス端末1 116、…、セルラーワイヤレス端末N 118)は、WANセル1 106内に位置する。複数のセルラーワイヤレス端末(セルラーワイヤレス端末1' 120、…、セルラーワイヤレス端末N' 122)は、WANセルN 108内に位置する。WAN基地局(102、…、104)は、バックホールネットワーク112を介して、互いに結合され、またネットワークノード110に結合される。ネットワークノード110は、リンク114を介して、他のネットワークノードおよび/またはインターネットに結合される。セルラーワイヤレス端末は、1つまたは複数のWAN基地局を介して互いに通信する。
【００１１】
WANセル1 106内に、複数のフェムトセル(フェムトセル1 128、…、フェムトセルN 130)がある。フェムトセル1 128は、フェムト基地局1 124、および複数のフェムトワイヤレス端末(フェムトワイヤレス端末1 132、…、フェムトワイヤレス端末N 134)を含む。フェムトセルN 130は、フェムト基地局N 126、および複数のフェムトワイヤレス端末(フェムトワイヤレス端末1' 136、…、フェムトワイヤレス端末N' 138)を含む。フェムトワイヤレス端末、たとえば、フェムトセル通信をサポートするモバイルワイヤレス通信デバイスは、フェムトセルのフェムト基地局を介してそのフェムトセル内の他のフェムトワイヤレス端末と通信することができる。いくつかの実施形態では、フェムト基地局が互いに結合されて、異なるフェムトセルにおけるフェムトワイヤレス端末が互いに通信することが可能になる。いくつかの実施形態では、フェムト基地局がWANセルラーバックホールネットワークに結合されて、フェムトワイヤレス端末がセルラーワイヤレス端末と通信することが可能になる。
【００１２】
WANセルN 108内に、複数のピアツーピアネットワーク(ピアツーピアネットワーク1 140、…、ピアツーピアネットワークN 142)がある。少なくともいくつかの実施形態では、ピアツーピア通信は、直接的なデバイス間の通信を指すために用いられる。ピアツーピア通信の場合、通信は、一方のデバイスから他方のデバイスに伝達され、基地局のようなインフラ要素を通らない。ピアツーピアネットワーク1 140、たとえば、アドホックピアツーピアネットワークは、互いに通信することができる複数のピアツーピアワイヤレス端末、たとえば、ピアツーピア通信プロトコルをサポートするモバイルノード(ピアツーピアワイヤレス端末1 144、…、ピアツーピアワイヤレス端末N 146)を含む。ピアツーピアネットワークN 142、たとえば、アドホックピアツーピアネットワークは、たとえば、中間デバイスを介さず直接的に、互いに通信することができる複数のピアツーピアワイヤレス端末、たとえば、ピアツーピア通信プロトコルをサポートするモバイルノード(ピアツーピアワイヤレス端末1' 148、…、ピアツーピアワイヤレス端末N' 150)を含む。
【００１３】
フェムトセルデバイスおよびピアツーピアデバイスは、WANセルラーデバイスと同時に同じエアリンクリソースのいくつかを使用することができ、使用することがある。たとえば、いくつかの実施形態では、フェムトセル基地局1 102は、ダウンリンクデータ信号をセルラーワイヤレス端末(116、…、118)に送信するためにWANセル基地局1 102によって使用されている同じエアリンクリソースのいくつかで少なくとも一部の信号を送信することができ、送信することがある。別の例では、いくつかの実施形態では、ピアツーピアワイヤレス端末1 144は、ダウンリンクデータ信号をセルラーワイヤレス端末(120、…、122)に送信するためにWANセル基地局N 104によって使用されている同じエアリンクリソースのいくつかで少なくとも一部の信号、たとえば、ピアツーピア発見信号を送信することができ、送信することがある。様々な実施形態において、セルラー基地局デバイスと同じエアリンクリソースを使用するフェムトセルデバイスまたはピアツーピアデバイスによって送信される信号が、位置符号化を使用して情報を伝達する。様々な実施形態において、同じエアリンクリソースを使用する同時のフェムトカプセル送信またはピアツーピア送信によるWANセルラー基地局内の通信への妨害は、データ通信のために選択され使用されるセルラー通信エラー符号化に組み込まれた冗長性のレベルのため緩和され許容レベル内になる。
【００１４】
いくつかの実施形態では、WANセルは、フェムトセルとピアツーピアネットワークの両方を含むことができ、含むことがある。フェムトセルとピアツーピアネットワークが重なるいくつかの実施形態では、フェムトセルとピアツーピアネットワークのどちらが、セルラーデバイスと同時に同じエアリンクリソースを使用することを許容されるかに関して所定の優先順位が存在する。いくつかの実施形態では、フェムトセルがピアツーピアネットワークに優先し、たとえば、ピアツーピアアドホックネットワークは、その付近にフェムトセルがない、またはその付近の検出されたフェムトセルが共有セルラーリソースを使用しない場合のみ、共有セルラーリソースを使用することを許容される。
【００１５】
様々な実施形態において、セルラーネットワークはOFDMベースのシグナリングプロトコルを使用している。いくつかのそのような実施形態では、セルラーネットワークデバイスと同じエアリンクリソースを使用してフェムトセルデバイスおよび/またはピアツーピアデバイスによって伝達される信号もOFDM信号である。
【００１６】
いくつかの実施形態では、特定のデバイス、たとえば、特定のモバイルワイヤレスデバイスは、そのデバイスが使用している通信プロトコル、および/またはそのデバイスが所与の時点で参加すると決めた通信ネットワークに応じて、異なる時点で異なるタイプのデバイス、たとえば、セルラーワイヤレスデバイス、フェムトセルワイヤレスデバイス、またはピアツーピアワイヤレスデバイスとなることができ、なることがある。
【００１７】
図2は、基地局によっても使用されている通信リソースを使用して情報を伝達するように、前記基地局のセル内に位置する第1の通信デバイスを動作させる例示的な方法のフローチャート200である。いくつかの実施形態では、第1の通信デバイスは、フェムトセルデバイス、たとえば、フェムトセル基地局またはフェムトセルモバイルワイヤレス端末である。たとえば、一実施形態では、第1の通信デバイスはフェムトセル基地局であり、第1の通信デバイスはフェムトセルワイヤレス端末に情報を伝達している。いくつかの実施形態では、第1の通信デバイスは、ピアツーピア通信デバイス、たとえば、ピアツーピアワイヤレス端末である。いくつかのそのような実施形態では、第1の通信デバイスは、ピアツーピアデバイス、たとえば、別のピアツーピアワイヤレス端末に情報を伝達している。例示的な方法の動作は、ステップ202で開始し、ステップ202では、第1の通信デバイスが電源を入れられ初期化される。動作は、開始ステップ202からステップ204に進む。ステップ204では、第1の通信デバイスが、トラフィックデータを伝達するために前記基地局によって使用されているリソースブロックを識別する。ステップ204は、ステップ206、208、および210を含む。ステップ206では、第1の通信デバイスは、制御情報を送信するために使用されるリソースブロックおよびトラフィックデータを送信するために使用されるリソースブロックを識別する基地局送信スケジューリング情報を格納する。動作は、ステップ206からステップ208に進み、ステップ208では、第1の通信デバイスが、第1の通信デバイスを前記基地局に同期させる。次いで、ステップ210では、第1の通信デバイスが、前記格納された基地局送信スケジューリング情報、および前記基地局との第1の通信デバイスのタイミング同期に基づいて、トラフィックデータを送信するために前記基地局によって使用されるリソースブロックを識別する。
【００１８】
動作は、ステップ204からステップ212に進む。ステップ212では、第1の通信デバイスが、情報を送信するのに使用するために前記第1の通信デバイスに前記リソースブロック内で利用可能なトーンシンボルのセットを識別する。動作は、ステップ212からステップ214に進む。ステップ214では、第1の通信デバイスが、前記基地局によって使用されているリソースブロックのセットにおける限られた数の利用可能なトーンシンボル上でエネルギーを送信することによって、情報、たとえば、制御情報またはピア発見情報を伝達する。ステップ214は、ステップ216およびステップ218を含む。
【００１９】
ステップ216では、第1の通信デバイスが、エネルギーが送信され得るリソースブロックのトーンシンボルのセットから、パイロットシンボルを送信するために前記基地局によって使用されるトーンシンボルを除外する。そして、ステップ218では、第1の通信デバイスは、前記情報を伝達するために位置符号化を使用し、エネルギーが送信されるトーンシンボルのリソースブロック内の位置が、情報を伝達するために使用される。
【００２０】
いくつかの実施形態では、前記基地局によって使用されているリソースブロックのセットにおける限られた数の利用可能なトーンシンボル上でエネルギーを送信するステップが、リソースブロックの前記セットにおける各リソースブロック内のトーンシンボルの2パーセント未満でエネルギーを送信するステップを含む。いくつかの実施形態では、前記基地局によって使用されているリソースブロックのセットにおける限られた数の利用可能なトーンシンボル上でエネルギーを送信するステップが、各リソースブロックのわずか単一のトーンシンボル上でエネルギーを送信するステップを含む。いくつかのそのような実施形態では、各リソースブロックが少なくとも50個のトーンシンボルを含む。
【００２１】
いくつかの実施形態では、リソースブロックのセットにおける限られた数の利用可能なトーンシンボル上でエネルギーを送信するステップが、トラフィックデータを送信するために前記第1の通信デバイスによって使用される最も高い送信電力レベル以上の送信電力レベルで個々のトーンシンボル上で電力を送信するステップを含む。
【００２２】
いくつかの実施形態では、第1の通信デバイスが、前記基地局に対応するマクロセル内に位置するフェムトセルである。いくつかのそのような実施形態では、送信される情報が制御情報である。
【００２３】
いくつかの実施形態では、送信される情報は、待ち時間が重大な情報であり、たとえば、待ち時間が重大なデータのパケットまたはパケット部分である。いくつかの実施形態では、送信される情報は、優先度が高いデータである。いくつかの実施形態では、第1の通信デバイスは、フェムトセル基地局であり、送信される情報は、送信までの残り期限が最も短いフェムトセルモバイルノード宛ての待ち時間が重大なデータである。いくつかの実施形態では、第1の通信デバイスがフェムトセル基地局であり、送信される情報が送られる先のフェムトセルモバイルデバイスは、フェムトセルモバイルデバイスの優先レベルに応じて選択され、たとえば、最も高い優先レベルを有するフェムトセルモバイルが受信者として選択される。いくつかの実施形態では、第1の通信デバイスがフェムトセル基地局であり、送信される情報が送られる先のフェムトセルモバイルデバイスは、フェムトセルモバイルデバイスの加入者サービスレベルに応じて選択され、たとえば、最も高いサービスレベルを有するフェムトセルモバイルデバイスが受信者として選択される。
【００２４】
いくつかの実施形態では、第1の通信デバイスが、前記基地局に対応するマクロセル内に位置するピアツーピア通信デバイスである。いくつかのそのような実施形態では、送信される情報がピア発見情報である。いくつかのそのような実施形態では、ピアツーピアデバイスがモバイルピアツーピアデバイスである。
【００２５】
いくつかの実施形態では、ピアツーピアネットワークは、同じWANセル内のピアツーピアネットワーク、たとえば、アドホックピアツーピアネットワークと重なることが可能であり、重なることがある。いくつかのそのような実施形態では、どのタイプのデバイスが基地局と同じリソースを使用する優先権を有するかに関して所定の順序付けがある。いくつかのそのような実施形態では、フェムトセルデバイスが、ピアツーピアネットワークデバイスに優先する。いくつかのそのような実施形態では、第1の通信デバイスがピアツーピアデバイスである場合、例示的な方法は、第1の通信デバイスがフェムトセル内に位置するかどうかを決定するステップをさらに含む。いくつかのそのような実施形態では、例示的な方法は、ピアツーピアデバイスがフェムトセル内に位置しないことが決定されると、ステップ214で情報の伝達を進めると決定するステップを含む。いくつかのそのような実施形態では、第1の通信デバイスが、それ自体がフェムトセル内に位置することを決定した場合、第1の通信デバイスは、ステップ214を実行することを控える。
【００２６】
いくつかの実施形態では、第1の通信デバイスがピアツーピアデバイスである場合、例示的な方法は、第1の通信デバイスがフェムトセル内に位置するかどうかを決定するステップと、前記基地局によって使用されているリソースブロックのセットにおける限られた数の利用可能なトーンシンボル上でエネルギーを送信することによってフェムトセルデバイスが情報を伝達しているかどうかを決定するステップをさらに含む。いくつかのそのような実施形態では、例示的な方法は、ピアツーピアデバイスがフェムトセル内に位置しないと決定されたとき、または、ピアツーピアデバイスがフェムトセル内に位置し、そこで、フェムトセルデバイスが、基地局によって使用されているリソースブロックのセットにおける限られた数の利用可能なトーンシンボル上でエネルギーを送信することによって情報を伝達していないと決定されたとき、ステップ214で情報の伝達を進めると決定するステップをさらに含む。いくつかのそのような実施形態では、第1の通信デバイスがフェムトセル内に位置し、そこで、フェムトセルデバイスが、基地局によって使用されているリソースブロックのセットにおける限られた数の利用可能なトーンシンボル上でエネルギーを送信することによって情報を伝達していると、第1の通信デバイスが決定した場合、第1の通信デバイスは、ステップ214を実行することを控える。
【００２７】
いくつかの実施形態では、少なくともいくつかのタイプのピアツーピアネットワークが、マクロ基地局によって使用されている同じリソースを使用することに関してフェムトセルよりも優先され、たとえば、緊急応答(emergency responder)ピアツーピアネットワークは、いくつかの実施形態ではフェムトセルより優先される。たとえば、いくつかのそのような実施形態では、第1の通信デバイスが緊急応答ピアツーピアネットワーク内のピアツーピアデバイスである場合、第1の通信デバイスは、重なり合うフェムトセルのデバイスより優先される。
【００２８】
いくつかの実施形態では、第1の通信デバイスは、情報を送信するのに使用するために前記リソースブロックで利用可能なトーンシンボルのセットを識別する複数のピアツーピア通信デバイスのうちの1つである。いくつかの実施形態では、複数のピアツーピアデバイスのうちのどれが、特定の時点で、前記基地局によって使用されているリソースブロックのセットにおける限られた数の利用可能なトーンシンボル上でエネルギーを送信することによって情報を伝達することを許容されるかに関して所定の順序付けがある。たとえば、基地局の反復的タイミング構造において、異なる時点で、たとえば、所定のインデックス付き順序付けに従って、異なるピアツーピアデバイスが、前記基地局によって使用されているリソースブロックのセットにおける限られた数の利用可能なトーンシンボル上でエネルギーを送信することによって情報を伝達することを許容される。いくつかの実施形態では、所定のインデックス付き順序付けは、ピアツーピアデバイスによって現在保持されている識別子に対応する。
【００２９】
いくつかの実施形態では、第1の通信デバイスはフェムトセル基地局であり、フェムトセル基地局は、基地局によって使用されているリソースブロックのセットにおける限られた数の利用可能なトーンシンボル上でエネルギーを送信することによって情報を伝達することが許容されるが、フェムトセル内のフェムトセルモバイルノードは、基地局によって使用されているリソースブロックのセットにおける限られた数の利用可能なトーンシンボル上でエネルギーを送信することによって情報を伝達することが許可されない。いくつかの他の実施形態では、フェムトセル基地局とフェムトセルモバイルノードの両方が、たとえば、所定の順序付けに従って異なる時点で、基地局によって使用されているリソースブロックのセットにおける限られた数の利用可能なトーンシンボル上でエネルギーを送信することによって情報を伝達することが許容される。いくつかの実施形態では、フェムトセル基地局は、どのデバイス、たとえばフェムトセル基地局、またはどの特定のフェムトセルモバイルノードが、所与の時点で、基地局によって使用されているリソースブロックのセットにおける限られた数の利用可能なトーンシンボル上でエネルギーを送信することによって情報を伝達することが許容されるかを決定する。
【００３０】
フローチャート200またはその一部は、複数回繰り返されてよく、繰り返されることがあり、たとえば、ステップ214は、第1の通信デバイスが同じセル内に位置する間、異なる時点で異なる情報が符号化され伝達される複数の送信機会に対応する複数回にわたって繰り返されてよい。さらに、第1のデバイスが、異なる基地局セルに移動するモバイルデバイスであることが考えられる。その場合、第1の通信デバイスは、フローチャート200の各ステップを繰り返すことができる。たとえば、複数の異なる基地局に対応する異なるセルにおいて、異なるリソースブロックが、トラフィックデータを伝達するために基地局によって使用でき、異なるセットのトーンシンボルが、情報を送信するのに使用するために前記第1の通信デバイスに利用可能な前記リソースブロックにおいて利用可能にすることができ、したがって、第1の通信デバイスは、新しいセルにおいてステップ204、212、および214を実行することができる。
【００３１】
図3は、例示的な実施形態による例示的な第1の通信デバイス300、たとえば、フェムトセルデバイスの図である。例示的な第1の通信デバイス300は、たとえば、図1のシステム100のフェムトセルデバイス(124、126、132、134)のうちの1つ、またはピアツーピアモバイルデバイス(144、146、148、150)のうちの1つである。例示的な第1の通信デバイス300は、図2のフローチャート200による方法を実装することができ、実装することがある。
【００３２】
第1の通信デバイス300は、バス309を介して結合されたプロセッサ302およびメモリ304を備え、バス309上で様々な要素(302、304)がデータおよび情報を交換することができる。通信デバイス300は、図に示すようにプロセッサ302に結合され得る入力モジュール306および出力モジュール308をさらに備える。しかしながら、いくつかの実施形態では、入力モジュール306および出力モジュール308は、プロセッサ302の内部に位置する。入力モジュール306は、入力信号を受け取ることができる。入力モジュール306は、入力を受け取るためのワイヤレス受信機および/または有線もしくは光入力インターフェースを備えることができ、いくつかの実施形態では備える。出力モジュール308は、出力を送信するためのワイヤレス送信機および/または有線もしくは光出力インターフェースを備えることができ、いくつかの実施形態では備える。いくつかの実施形態では、メモリ304は、ルーチン311およびデータ/情報313を含む。
【００３３】
いくつかの実施形態では、プロセッサ302は、トラフィックデータを伝達するために前記基地局によって使用されているリソースブロックを識別し、情報を送信するのに使用するために前記第1の通信デバイスに前記リソースブロック内で利用可能なトーンシンボルのセットを識別し、前記基地局によって使用されているリソースブロックのセットにおける限られた数の利用可能なトーンシンボル上でエネルギーを送信することによって、情報を伝達するように構成される。いくつかの実施形態では、プロセッサ302は、情報を伝達するように構成されることの一部として、前記情報を伝達するために位置符号化を使用するように構成され、エネルギーが送信されるトーンシンボルのリソースブロック内の位置が、情報を伝達するために使用される。様々な実施形態において、プロセッサ302は、制御情報を送信するために使用されるリソースブロックおよびトラフィックデータを送信するために使用されるリソースブロックを識別する基地局送信スケジューリング情報を格納し、前記第1の通信デバイスを前記基地局に同期させ、トラフィックデータを伝達するために前記基地局によって使用されているリソースブロックを識別するように構成されることの一部として、前記格納された基地局送信スケジューリング情報、および前記基地局との前記第1の通信デバイスのタイミング同期に基づいて、トラフィックデータを送信するために前記基地局によって使用されるリソースブロックを識別するように構成される。いくつかの実施形態では、プロセッサ302は、情報を伝達するように構成されることの一部として、エネルギーが送信され得るリソースブロックのトーンシンボルのセットから、パイロット信号を送信するために前記基地局によって使用されるトーンシンボルを除外するように構成される。
【００３４】
いくつかの実施形態では、プロセッサ302は、前記基地局によって使用されているリソースブロックのセットにおける限られた数の利用可能なトーンシンボル上でエネルギーを送信するように構成されることの一部として、リソースブロックの前記セットにおける各リソースブロック内の前記トーンシンボルの2パーセント未満でエネルギーを送信するように構成される。いくつかの実施形態では、プロセッサ302は、前記基地局によって使用されているリソースブロックのセットにおける限られた数の利用可能なトーンシンボル上でエネルギーを送信するように構成されることの一部として、各リソースブロックのわずか単一のトーンシンボル上でエネルギーを送信するように構成される。いくつかのそのような実施形態では、各リソースブロックが少なくとも50個のトーンシンボルを含む。いくつかの実施形態では、プロセッサ302は、リソースブロックのセットにおける限られた数の利用可能なトーンシンボル上でエネルギーを送信するように構成されることの一部として、トラフィックデータを送信するために前記第1の通信デバイスによって使用される最も高い送信電力レベル以上の送信電力レベルで個々のトーンシンボル上で電力を送信するように構成される。
【００３５】
様々な実施形態において、第1の通信デバイスが、前記基地局に対応するマクロセル内に位置するフェムトセルデバイス、たとえば、フェムトセル基地局またはフェムトセルワイヤレス端末である。いくつかのそのような実施形態では、送信される情報が制御情報である。
【００３６】
いくつかの実施形態では、第1の通信デバイスが、前記基地局に対応するマクロセル内に位置するピアツーピア通信デバイスである。いくつかのそのような実施形態では、送信される情報がピア発見情報である。
【００３７】
部分A401および部分B403を含む図4は、図3に示す例示的な第1の通信デバイス300で使用でき、いくつかの実施形態で使用されるモジュールのアセンブリ400である。アセンブリ400内のモジュールは、図3のプロセッサ302内のハードウェアで、たとえば、個別の回路として実装され得る。あるいは、モジュールは、ソフトウェアで実装され、図3に示す第1の通信デバイス300のメモリ304に格納され得る。いくつかのそのような実施形態では、モジュールのアセンブリ400は、図3のデバイス300のメモリ304のルーチン311に含まれる。図3では、単一のプロセッサ、たとえば単一のコンピュータとして実施形態が示されているが、プロセッサ302は、1つまたは複数のプロセッサ、たとえば1つまたは複数のコンピュータとして実装されてもよいことを理解されたい。ソフトウェアで実装された場合、モジュールは、プロセッサによって実行されたとき、モジュールに対応する機能を実装するようにプロセッサ、たとえば、コンピュータ302を構成するコードを含む。いくつかの実施形態では、プロセッサ302は、モジュールのアセンブリ400の各モジュールを実装するように構成される。モジュールのアセンブリ400がメモリ304に格納される実施形態では、メモリ304は、コンピュータ可読媒体、たとえば、非一時的コンピュータ可読媒体を含むコンピュータプログラム製品であり、コンピュータ可読媒体は、少なくとも1つのコンピュータ、たとえば、プロセッサ302に、各モジュールに対応する機能を実装させるためのコード、たとえば、モジュールごとに別個のコードを含む。
【００３８】
完全にハードウェアベースまたは完全にソフトウェアベースのモジュールが使用されてもよい。しかしながら、ソフトウェアモジュールとハードウェア(たとえば、回路実装)モジュールの任意の組合せが機能を実装するために使用され得ることを理解されたい。また、図4に示すモジュールは、通信デバイス300またはその中のプロセッサ302などの要素を制御および/または構成して、図2のフローチャート200の方法で例示および/または説明された対応するステップの機能を実行することを理解されたい。
【００３９】
モジュールのアセンブリ400は、トラフィックデータを伝達するために前記基地局によって使用されているリソースブロックを識別するためのモジュール404と、情報を送信するのに使用するために前記第1の通信デバイスに前記リソースブロック内で利用可能なトーンシンボルのセットを識別するためのモジュール412と、前記基地局によって使用されているリソースブロックのセットにおける限られた数の利用可能なトーンシンボル上でエネルギーを送信することによって、情報を伝達するためのモジュール414とを含む。モジュール404は、制御情報を送信するために使用されるリソースブロックおよびトラフィックデータを送信するために使用されるリソースブロックを識別する基地局送信スケジューリング情報を格納するためのモジュール406と、前記第1の通信デバイスを前記基地局に同期させるためのモジュール408と、前記格納された基地局送信スケジューリング情報、および前記基地局との第1の通信デバイスのタイミング同期に基づいて、トラフィックデータを送信するために前記基地局によって使用されるリソースブロックを識別するためのモジュール410とを含む。モジュール414は、エネルギーが送信され得るリソースブロックのトーンシンボルのセットから、パイロットシンボルを送信するために前記基地局によって使用されるトーンシンボルを除外するためのモジュール416と、前記情報を伝達するために位置符号化を使用するためのモジュールであって、エネルギーが送信されるトーンシンボルのリソースブロック内の位置が情報を伝達するために使用される、モジュール418とを含む。
【００４０】
モジュールのアセンブリ400は、リソースブロックの前記セットにおける各リソースブロック内のトーンシンボルの2パーセント未満でエネルギーを送信するためのモジュール420と、各リソースブロックのわずか単一のトーンシンボル上でエネルギーを送信するためのモジュール422と、トラフィックデータを送信するために第1の通信デバイスによって使用される最も高い送信電力レベル以上の送信電力レベルで個々のトーンシンボル上で電力を送信するためのモジュール424とをさらに含む。様々な実施形態において、モジュール420、422、および424のうちの1つまたは複数が、限られた数のトーンシンボル上でエネルギーを送信する際にモジュール414によって使用される。
【００４１】
いくつかの実施形態では、モジュールのアセンブリ400は、モジュール426、428、430、432、434、436、438、440、442、444、446、448、450、452、454、および456のうちの1つまたは複数またはすべてを含む。モジュール426は、第1の通信デバイスがフェムトセル内に位置するかどうかを決定するためのモジュールである。モジュール428は、基地局によって使用されているリソースブロックのセットにおける限られた数の利用可能なトーンシンボル上でエネルギーを送信することによってフェムトセルデバイスが情報を伝達しているかどうかを決定するためのモジュールである。モジュール430は、第1の通信デバイスが、前記基地局によって使用されているリソースブロックのセットにおける限られた数の利用可能なトーンシンボル上でエネルギーを送信することによる所期の情報の伝達を進めることを許容されるかどうかを決定するためのモジュールである。たとえば、第1の通信デバイスがピアツーピア通信デバイスであり、ピアツーピアネットワークとフェムトセルが重なり合うとき、フェムトセルは、セルラー基地局と同じリソースの使用について優先権がある。いくつかのそのような実施形態では、モジュール426が、第1の通信デバイスがフェムトセル内に現在位置するかどうかを決定し、モジュール428が、フェムトセルの1つまたは複数のデバイスがセルラー基地局と同じリソースを使用しているかどうかを決定し、モジュール430が、モジュール426およびモジュール428の結果に基づいて、第1の通信デバイスがモジュール414の伝達を進めることを許容されるかどうかを決める。
【００４２】
モジュール432は、第1の通信デバイスが、前記基地局によって使用されているリソースブロックのセットにおける限られた数の利用可能なトーンシンボル上でエネルギーを送信することによって情報を伝達することが許容される複数の代替通信デバイスのうちの選択された通信デバイスであるかどうかを決定するためのモジュールである。モジュール434は、送信スケジューリング順序を決定するためのモジュール434であり、モジュール436は、送信優先度を決定するためのモジュール436であり、モジュール438は、送信待ち時間情報を決定するためのモジュール438であり、モジュール442は、目標の1つまたは複数の受信機デバイスを決定するためのモジュール442である。たとえば、いくつかの実施形態では、ピアツーピアネットワーク内の複数のピアツーピアデバイスが、所定のスケジュールに従って異なる時点で送信のために同時に基地局と同じリソースを使用することを許容されてよく、モジュール434は、順序付けを決定し、モジュール432は、第1の通信デバイスが、目下の送信機会のために選択されたデバイスであるかどうか、たとえば、この送信機会にモジュール414を介して情報を伝達することを許容された第1の通信デバイスであるかどうかを決定する。別の例として、いくつかの実施形態では、フェムトセル基地局は、基地局と同じリソースを使用して送信することを許容されるが、フェムトセルモバイルワイヤレス端末は、基地局と同じリソースを使用して送信することを許容されず、モジュール434は、フェムトセルデバイスのタイプに応じて、第1の通信デバイスが、モジュール414の伝達を進めることを許容されるかを決める。別の例では、フェムトセル基地局は、どのフェムトセルデバイスが、基地局リソースを使用して基地局と同時に送信することを許容されるかを決め、モバイルフェムトセルデバイスを選択したとき、その選択を、選択したモバイルフェムトセルデバイスに伝達し、モジュール432は、この送信機会のために第1の通信デバイスが選択されているかどうかを決定する。モジュール440は、前記基地局によって使用されているリソースブロックのセットにおける限られた数の利用可能なトーンシンボル上でエネルギーを送信することによって伝達される情報を選択するためのモジュールである。
【００４３】
いくつかの実施形態では、たとえばモジュール414によって情報が送信される先の1つまたは複数のデバイスが、モジュール434、436、および438の1つまたは複数またはすべてからの情報を使用する優先度情報、待ち時間情報、所定のスケジューリング順序のうちの1つまたは複数に応じて、たとえばフェムトセル基地局内でモジュール442によって選択される。いくつかの実施形態では、たとえばモジュール414によって符号化および送信される情報が、モジュール434、436、および438の1つまたは複数またはすべてからの情報を使用する優先度情報、待ち時間情報、所定のスケジューリング順序のうちの1つまたは複数に応じて、モジュール440によって選択される。
【００４４】
モジュール444は、第1の通信デバイスが、セルラーデバイス、フェムトセルデバイス、またはピアツーピアネットワークデバイスとして機能するのか決定するためのモジュールである。モジュール446は、第1の通信デバイスをセルラー動作モードで動作するように制御するためのモジュールであり、モジュール448は、第1の通信デバイスをフェムト動作モードで動作するように制御するためのモジュールであり、モジュール450は、第1の通信デバイスをピアツーピア動作モードで動作するように制御するためのモジュールである。いくつかの実施形態では、第1の通信デバイスは、異なる時点で異なるタイプのデバイスとして動作することができ、動作することがあり、モジュール444は、どのように第1の通信デバイスが所与の時点で動作するのかを決定し、モジュール446、448、および450はモジュール444の決定に応じる。
【００４５】
モジュール452は、位置符号化モジュールであり、モジュール454は、送信電力レベルモジュールであり、モジュール456は、変調シンボルモジュール、たとえば、BPSKおよび/またはQPSKモジュールである。モジュール452、454、および456のうちの1つまたは複数またはすべてが、モジュール414および/またはモジュール418によって使用される。
【００４６】
いくつかの実施形態では、モジュール404によって識別された各リソースブロックは、少なくとも50個のトーンシンボル、たとえば、少なくとも50個のOFDMトーンシンボルを含む。いくつかの実施形態では、モジュールのアセンブリ400を含む第1の通信デバイスは、前記基地局に対応するマクロカプセルに位置するフェムトセルデバイスである。いくつかの実施形態では、モジュール414によって送信される送信情報は、制御情報である。様々な実施形態において、モジュールのアセンブリ400を含む第1の通信デバイスは、前記基地局に対応するマクロカプセルに位置するピアツーピア通信デバイスである。いくつかのそのような実施形態では、モジュール414によって伝達される前記送信情報は、ピア発見情報である。
【００４７】
いくつかの実施形態の様々な態様および/または特徴をさらに説明する。様々な方法および装置が、OFDMマクロネットワーク、たとえば、OFDMセルラーネットワークによって使用されている通信リソース上で、第1のデバイス、たとえば、第1のフェムトセルデバイスから1つまたは複数の他のフェムトセルデバイス、あるいは第1のピアツーピアデバイスから1つまたは複数の他のピアツーピアデバイスへ、ショートメッセージを伝達するために十分に適している。フェムトセル信号またはピアツーピア信号は、マクロ信号、たとえばセルラー基地局からのダウンリンク信号がセルラー基地局によって送信される同じ1つまたは複数の通信リソース上を進み、たとえば、その同じ1つまたは複数の通信リソース上でフェムトセルデバイスまたはピアツーピアデバイスによって送信される。フェムトセルデバイスおよび/またはピアツーピアデバイスからの信号は、マクロ基地局からの信号と同じリソース上で送信されるので、マクロ信号に干渉し、マクロ信号の一部分を破壊する可能性がある。しかしながら、フェムトセルおよび/またはピアツーピアデバイスによって送信される信号は、スループット全体の観点からはマクロ基地局に対してほとんど干渉せず、かつ/あるいは制御および/またはパイロット情報を伝達するマクロ基地局の能力にほとんど干渉しないように設計されている。
【００４８】
いくつかの実施形態のシグナリング方法に関する典型的な適用例は、フェムト発見アルゴリズムに関し、すなわち、フェムトは、マクロによってスケジューリングされることなく、発見信号を送信するために提案されたシグナリングを使用する。さらに、本明細書で説明した技法は、小さいが遅延に敏感なパケットをスケジューリングするためにフェムトセルまたはピアツーピアデバイスによって使用されることが可能であり、使用されることがあり、それらのパケットは、マクロもしくはフェムトへ/からのTCP肯定応答、音声パケット、ゲームパケットのようなパケット、またはたとえば64ビット以下の比較的小さいビットを伝達する制御/スケジューリング信号を使用するp2p設定におけるものであり、マクロ基地局によって使用されている多数のOFDMトーン上で電力を送信する必要なく伝達され得る。
【００４９】
いくつかの実施形態の様々な特徴によれば、1つもしくは複数のフェムトセルデバイスおよび/またはピアツーピアデバイスは、1つもしくは複数のフェムトセルデバイスまたはピアツーピアデバイスが位置するマクロセルのマクロ基地局によって使用される送信スケジュール、たとえば、反復的送信スケジュールに関する情報を格納する。いくつかの実施形態の様々な特徴について説明するために、デバイスはフェムトセルデバイス、たとえば、フェムトセル基地局であると想定したが、デバイスは、基地局の直接的なスケジューリングおよび/または電力制御下にないピアツーピアデバイスまたは別のデバイスであってもよい。
【００５０】
フェムトセルデバイスは、例示的な実施形態のある特徴に従って情報を送信するためにフェムトセルによって使用され得る送信リソースのセット、たとえば、OFDMトーンシンボルのセットを識別するために、マクロセルの送信スケジュールに関する知識を使用する。いくつかの実施形態では、使用され得るOFDMトーンシンボルのセットでは、マクロセルの制御チャネルに対応するOFDMトーンシンボルが除外される。さらに、いくつかの実施形態では、マクロ基地局パイロット信号送信に使用されるOFDMトーンシンボルも、フェムトセルデバイスによって使用可能なものから除外される。フェムトセルデバイスは、フェムトセル通信の目的で使用され得るマクロリソースユニットのブロック、たとえば、OFDMトーンシンボルを識別する。次いで、フェムトセルデバイスは、1つまたは複数のブロックにおけるOFDMトーンシンボルのうちの1つまたは少数でエネルギーを送信することによって情報を伝達する。たとえば、フェムトセルがエネルギーを配置する、たとえば1つまたは複数のトーンシンボルがある、ブロック内の位置が、情報を伝達するために使用される。いくつかの実施形態では、フェムトセルデバイスは、ブロック内で使用可能であると決定された1つまたは少数のトーンシンボル上で、比較的高い送信電力レベルで送信をする。トーンシンボルの比較的大きいブロック内のたとえば1つのトーンシンボルでのエネルギーの送信は、マクロ基地局からのそのトーンシンボル上の情報を回復しようと試みるマクロ基地局および/またはセルラーデバイスへの干渉をもたらす可能性があるが、それは、マクロ基地局によって使用されているトーンシンボルの比較的少数に影響するため、干渉により失われた情報は、通常はエラー訂正符号および/または他の技法によって回復することができ、通常はセルラー通信に重大な影響を与えない。さらに、そのようなシグナリングのためにフェムトセルによって使用され得る可能なトーンシンボルは、フェムトセルによって、そのマクロセル送信スケジュールおよび制御シグナリングに関する知識に基づいて限定され、制御、パイロット、および/または他の重要な信号に使用されるトーンシンボルを避けるので、マクロセル通信に対する影響は最小限に抑えられる。
【００５１】
マクロ基地局の視点からは、フェムトセルデバイス送信はスケジューリングされない。しかしながら、フェムトセルデバイスがマクロ基地局送信タイミングおよびスケジュールを注意深く追跡し、それにより、マクロ基地局に対する損害が限定されるやり方でフェムトセルがリソースを使用するようにする。また、フェムトセル基地局と通信するユーザデバイス、たとえば、フェムトセルワイヤレス端末が、フェムトセルのリソースの利用を認識し、そして、エネルギー検出を用いて、またフェムトセル基地局がその上で送信を行ったデータブロック内の特定の1つまたは複数のトーンシンボルを検出することにより、比較的少数のトーンシンボル上で送信された情報を回復することができる。フェムトセル基地局デバイスによって送信のために使用されるエネルギーレベルは、比較的高く、たとえば、いくつかの実施形態では固定された所定の電力レベルであり、これは、マクロ基地局のセルラーワイヤレス端末との通信に対する干渉が、フェムトセルがその上で送信を行うことができるトーンシンボルの選択、およびフェムトセル送信によって影響されるトーンシンボルの限られた数によって制限されるからである。
【００５２】
いくつかの実施形態のいくつかの重要な特徴についてさらに説明する。いくつかの実施形態の第1の特徴は、スケジューリングされていない送信がマクロダウンリンク上で発生することである。いくつかの実施形態では、フェムト基地局デバイスは、マクロによってスケジューリングされることなくマクロダウンリンク上で、比較的高電力のシグナリング、たとえば、位置符号化の使用と組み合わされた限られた数のトーン上の比較的高電力の送信を用いて、発見情報を1つのサブフレームを使用して送信する。
【００５３】
いくつかの実施形態の第2の特徴は、フェムトシグナリングがマクロシグナリングを認識していることである。いくつかの実施形態では、位置符号化を使用する比較的高電力のフェムトシグナリングは、マクロサブフレームのデータセグメント内で発生し、マクロ基地局の制御チャネル内で発生しないように制限される。
【００５４】
いくつかの実施形態の第3の特徴は、フェムトシグナリングはマクロスケジューリング構造を認識していることである。たとえば、マクロレベルのデータセグメント内で、位置符号化を使用する比較的高電力のフェムトシグナリングは、リソースブロック(RB)のマクロスケジューリング構造を使用する。特に、いくつかの実施形態では、フェムトセルシグナリングは、マクロまたはフェムトセルによって規定されるように各RB内の1つのトーンシンボルを使用し、さらに、パイロット信号を伝達するためにマクロ基地局によって使用されるトーンシンボルを避ける。
【００５５】
図5〜図8は、例示的な実施形態による、マクロセルリソースのフェムトセル基地局デバイスによる例示的なリソース利用の例を示す。
【００５６】
図5の図面500では、縦軸502が、トーンの単位の周波数を表し、横軸504が、OFDMスクランブル送信時間間隔の単位の時間を表す。ブロック506は、マクロセルサブフレーム用の例示的なエアリンクリソースを表す。図6の図面600は、マクロサブフレーム用の例示的なエアリンクリソース506が、制御サブチャネル用のエアリンクリソース602、およびサブフレームのデータセグメント用のエアリンクリソース604を含むことを示す。図7の図面700は、サブフレームのデータセグメント用のエアリンクリソース604が、複数のブロック(702、704、706、708、710、712)に分割された様子を示す。ブロック(702、704、706、708、710、712)の各々は、マクロリソースブロックとフェムトシグナリングブロックの両方である。
【００５７】
図8の図面800は、エアリンクリソースを表すブロック802、ならびに例示的なシグナリングおよび対応する凡例804を含む。ブロック802は、図5のブロック506のエアリンクリソースに対応する。ブロック802の各小さい正方形は、OFDMトーンシンボル、すなわち、1つのシンボル送信期間に対する1つのトーンを表す。例示的なブロック802は、156個のOFDMトーンシンボルを含む。
【００５８】
凡例804では、マクロの制御信号を搬送するトーンシンボルが、例示的なOFDMトーンシンボル806によって図示するように縦線および横線を使用する平行線模様の陰影付けによって表されることが示されている。この例では、制御サブフレーム用のエアリンクリソース602に対応するタイプ806のブロック802内の36個のOFDMトーンシンボルが存在する。
【００５９】
凡例804では、マクロのパケット信号を搬送するトーンシンボルが、例示的なOFDMトーンシンボル808によって示すような陰影がない正方形内の「P」によって表されることが示されている。この例では、サブフレームのデータセグメント604に対応するタイプ808のブロック802内の12個のOFDMトーンシンボルが存在する。この例では、タイミング周波数構造に従って所定の位置に配置されたサブブロック(702、704、706、708、710、712)当たり2つのOFDMトーンシンボルが存在する。この例では、パイロット信号は、各サブブロック内の同じ位置で発生する。他の例では、パイロット信号の位置は、たとえば、所定のパイロットホッピング方式に従って、サブブロックごとに異なることが可能であり、異なることがある。
【００６０】
サブフレームのデータセグメント用のエアリンクリソース604の残りの108個のトーンシンボルは、マクロセルとフェムトセルの両方によって利用可能な共有リソースである。マクロセル、たとえば、マクロセル基地局は、サブフレームのデータセグメント用のエアリンクリソース604の残りの108個のトーンシンボルの各々を使用してデータ信号を送信することができる。この例では、フェムトセル、たとえば、フェムトセル基地局デバイスが、情報を伝達するために位置符号化を使用し、サブブロック(702、704、706、708、710、712)の各々における残りの108個のトーンシンボルのうちの1つで非ヌル信号を送信する。フェムトセル非ナル信号を搬送するためのサブブロック内で使用するトーンシンボルの選択は、伝達される情報、および使用される位置符号化方式に応じて決まる。
【００６１】
凡例804では、マクロとフェムトの両方によって利用可能であり、マクロデータ信号を搬送するトーンシンボルが、例示的なOFDMトーンシンボル810によって示すような網点の陰影付けによって表されることが示されている。この例では、サブフレームのデータセグメント604に対応するタイプ810のブロック802内の100個のOFDMトーンシンボルが存在する。
【００６２】
凡例804では、マクロとフェムトの両方によって利用可能であり、マクロデータ信号および非ヌルフェムト信号を搬送するトーンシンボルが、例示的なOFDMトーンシンボル812によって示すような斜めの平行線模様の陰影付けによって表されることが示されている。この例では、サブフレームのデータセグメント604に対応するタイプ812のブロック802内の8個のOFDMトーンシンボルが存在する。
【００６３】
いくつかの例示的な実施形態では、図5〜図8に説明した手法は、LTEの実施形態、たとえば、5MHz LTE実施形態の文脈で使用される。そのような一実施形態では、1msの各LTEサブフレームが、制御チャネルとデータチャネルに分割される。制御チャネルは一般的にデータチャネルより高い信頼性を必要とするので、いくつかの実施形態では、同時にフェムトシグナリングを搬送するためにデータチャネルが使用されるが、制御信号はフェムトシグナリングのために使用されない。一実施形態では、データチャネルは25個のリソースブロック(RB)にさらに分割され、各リソースブロックが72個のトーンシンボルを有する。各RBは、マクロ用のスケジューリングユニットであり、例示的な方法は、RB内の正確に1つのトーンシンボルを使用することによって、任意の所与のRBに対する損害を最小限に維持する。上記の図8の図は、LTEサブフレームのトーンシンボルを実際より少ない個数で示しており、例示を意図して、実際の完全なLTEサブフレームのトーンシンボルの個数を示していないことを理解されたい。
【００６４】
送信機、たとえば、フェムトデバイス送信機またはピアツーピアデバイス送信機は、各RB内の1つのトーンを使用する。トーンの位置が符号化情報を搬送する。送信機、たとえば、フェムトデバイス送信機またはピアツーピアデバイス送信機は、各RB内で1つのトーンのみを使用するので、それによりマクロ送信の各々に対して生じる損害が小さく、たとえば、容量の損失はおよそ1/72である。その上、信号は、パケットトーンのような重要なトーンを避けるように設計され得る。さらに、いくつかの実施形態では、情報をフェムト信号またはピアツーピア信号の位相および/または振幅で符号化することができ、実施形態によっては符号化する。
【００６５】
例示的な一実施形態では、トーンの位置が、約6ビット(log2(64))の符号化情報を搬送する。25個のRBでは、これは合計約150符号化ビットになる。
【００６６】
(25,12)リードソロモンGF(26)を使用すると、1つのLTEサブフレーム上で72ビットの情報を符号化することができる。
【００６７】
例示的な受信機の方法は、次のように動作する。RBごとに送られた高電力信号を搬送するトーンシンボルのインデックスを決定する。高電力のトーンシンボルが通信エラーにさらされたことを想定して、たとえばデータを符号化するために使用されたデータに基づいて、伝達されたデータを復号する。
【００６８】
提案される解決策の理論的基礎は、ガウス干渉はガウス信号に対して最悪の干渉であることである。そこで、本発明者らは、干渉される基本的ガウス信号に与えるペナルティが最小限となる非ガウスピーク干渉(non Gaussian peaky interference)を作る。実用的な注意点として、典型的な受信機は、そのようなピーク干渉に対してすでに頑強である。
【００６９】
提案されたシグナリングは、使用されるシグナリングはピークが強く最適の方式でないため、フェムトの観点からは最適ではない。しかしながら、システムの観点からは、マクロに対する干渉を最小限にすることによって利益が得られる。
【００７０】
様々な実施形態において、図1〜図8の1つまたは複数のいずれかのデバイスは、本出願の図のいずれかに関して説明され、かつ/または本出願の発明を実施するための形態で説明された個々のステップおよび/または動作の各々に対応するモジュールを含む。モジュールは、ハードウェアで実装することができ、実装することがある。他の実施形態において、モジュールは、情報収集デバイスのプロセッサによって実行されたときに対応するステップまたは動作をデバイスに実施させるプロセッサ実行可能命令を含むソフトウェアモジュールとして実装することができ、実装することがある。さらに他の実施形態では、モジュールのいくつかまたはすべてが、ハードウェアとソフトウェアの組合せとして実装される。
【００７１】
様々な実施形態の技法は、ソフトウェア、ハードウェア、および/またはソフトウェアとハードウェアの組合せを使用して実装することができる。様々な実施形態は、装置を対象とし、たとえば、ネットワークノード、モバイル端末のようなモバイルノード、基地局のようなアクセスポイント、および/または通信システムを対象とする。モバイルノードには、たとえば、WANセルラー通信、フェムトセル通信、およびピアツーピア通信のうちの1つまたは複数またはすべてのための機能を有するWANセルラーワイヤレスモバイルノード、ピアツーピアワイヤレスモバイルノード、フェムトセルワイヤレスモバイルノード、および/またはモバイルワイヤレスデバイスが含まれる。例示的な基地局には、WANセルラー基地局およびフェムトセル基地局が含まれる。また、様々な実施形態はまた、方法を対象とし、たとえば、ネットワークノード、モバイルノード、基地局のようなアクセスポイント、および/または通信システム、たとえば、ホストを制御しかつ/または動作させる方法を対象とする。様々な実施形態はまた、方法の1つまたは複数のステップを実施するようにマシンを制御するためのマシン可読命令を含む、マシンたとえばコンピュータに可読な媒体、たとえば、ROM、RAM、CD、ハードディスクなどを対象とする。コンピュータ可読媒体は、たとえば、非一時的コンピュータ可読媒体である。
【００７２】
開示したプロセスにおけるステップの特定の順序または階層は、例示的な手法の一例であることは理解されよう。設計上の選好に基づいて、プロセスにおけるステップの特定の順序または階層が本開示の範囲内のままで再構成され得ることは理解されよう。添付の方法クレームは、様々なステップの要素を例示的な順序で提示しており、提示された特定の順序または階層に限定されるものではない。
【００７３】
様々な実施形態では、本明細書で説明したノードは、1つまたは複数の方法に対応するステップ、たとえば、信号受信、信号処理、信号生成、および/または送信ステップに対応するステップを実効するための1つまたは複数のモジュールを使用して実装される。したがって、いくつかの実施形態では、様々な機能がモジュールを使用して実装される。いくつかの実施形態では、方法は、ハードウェアで、たとえば、回路を使用して実装される。しかしながら、すべての実施形態が純粋にハードウェアの実施形態に限定されるのではない。様々な実施形態において、モジュールは、ソフトウェア、ハードウェア、またはソフトウェアとハードウェアの組合せを使用して実装することができる。上記の方法または方法ステップの多くは、上記の方法の全部または一部を、たとえば1つまたは複数のノードで実施するように、マシン、たとえば、追加のハードウェアを含むまたは含まない汎用コンピュータを制御するための、メモリデバイスのようなマシン可読媒体、たとえば、RAM、フレキシブルディスクなどに含まれるソフトウェアなどのマシン実行可能命令を使用して実装することができる。したがって、特に、様々な実施形態は、マシン、たとえば、プロセッサおよび関連するハードウェアに上記の方法のステップのうちの1つまたは複数を実行させるためのマシン実行可能命令を含むマシン可読媒体、たとえば、非一時的コンピュータ可読媒体を対象とする。いくつかの実施形態は、本発明の1つまたは複数の方法のステップのうちの1つ、複数、またはすべてを実施するように構成されたプロセッサを含むデバイス、たとえば、通信ノードを対象とする。
【００７４】
いくつかの実施形態では、1つまたは複数のデバイス、たとえば、ネットワークノード、アクセスノード、および/またはワイヤレス端末のような通信ノードの、1つまたは複数のプロセッサ、たとえば、CPUは、通信ノードによって実行されるように説明された方法のステップを実行するように構成される。プロセッサの構成は、プロセッサ構成を制御するために1つまたは複数のモジュール、たとえば、ソフトウェアモジュールを使用することによって、かつ/あるいは、記載されたステップの実行および/またはプロセッサ構成の制御をするためにプロセッサにおけるハードウェア、たとえば、ハードウェアモジュールを含むことによって、達成することができる。したがって、すべてではないが、いくつかの実施形態は、プロセッサが含まれるデバイスによって実行される様々な説明した方法のステップの各々に対応するモジュールを含むプロセッサを有するデバイス、たとえば、通信ノードを対象とする。すべてではないが、いくつかの実施形態では、デバイス、たとえば、通信ノードは、プロセッサが含まれるデバイスによって実行される様々な説明した方法のステップの各々に対応するモジュールを含む。モジュールは、ソフトウェアおよび/またはハードウェアを使用して実装することができる。
【００７５】
いくつかの実施形態は、1つまたは複数のコンピュータに、様々な機能、ステップ、行為、および/または動作、たとえば、上記の1つまたは複数のステップを実施させるためのコードを含むコンピュータ可読媒体、たとえば、非一時的コンピュータ可読媒体を含むコンピュータプログラム製品を対象とする。実施形態によっては、コンピュータプログラム製品は、実行すべきステップごとに異なるコードを含むことができ、含むことがある。したがって、コンピュータプログラム製品は、方法、たとえば、通信デバイスまたはノードを制御する方法の個々のステップごとのコードを含むことができ、含むことがある。コードは、RAM(ランダムアクセスメモリ)、ROM(読取り専用メモリ)、または他のタイプの記憶デバイスのようなコンピュータ可読媒体、たとえば、非一時的コンピュータ可読媒体に格納される、マシンたとえばコンピュータに実行可能な命令の形態とされ得る。いくつかの実施形態は、コンピュータプログラム製品を対象とするのに加えて、上記の1つまたは複数の方法の様々な機能、ステップ、行為、および/または動作のうちの1つまたは複数を実施するように構成されたプロセッサを対象とする。したがって、いくつかの実施形態は、本明細書で説明した方法のステップの一部または全部を実施するように構成されたプロセッサ、たとえば、CPUを対象とする。プロセッサは、たとえば、本出願で説明した通信デバイスまたは他のデバイスにおいて使用され得る。
【００７６】
様々な実施形態が、ピアツーピアシグナリングを使用する通信システムに十分に適している。いくつかの実施形態は、直交波周波数分割多重(OFDM)ベースのワイヤレスピアツーピアシグナリングプロトコル、たとえば、WiFiシグナリングプロトコルまたは別のOFDMベースのプロトコルを使用する。
【００７７】
OFDMシステムの文脈で説明されているが、様々な実施形態の方法および装置の少なくとも一部は、多くの非OFDMシステムおよび/または非セルラーシステムを含む広範囲の通信システムに適用可能である。
【００７８】
上記の説明に鑑みて、上記の様々な実施形態の方法および装置に関する多数の追加の変形形態が当業者には明らかであろう。そのような変形形態は範囲内であると考えられるべきである。本方法および本装置は、符号分割多重接続(CDMA)、OFDM、および/または通信デバイス間のワイヤレス通信リンクを提供するために使用され得る様々な他のタイプの通信技法とともに使用されてよく、様々な実施形態において使用される。いくつかの実施形態では、1つまたは複数の通信デバイスは、OFDMおよび/またはCDMAを使用してモバイルノードとの通信リンクを確立する、かつ/または有線またはワイヤレス通信リンクを介してインターネットまたは別のネットワークに対する接続性を実現できるアクセスノードとして実装される。様々な実施形態において、モバイルノードは、本方法を実施するための受信機/送信機回路ならびに論理および/またはルーチンを含むノートブックコンピュータ、携帯情報端末(PDA)、または他のポータブルデバイスとして実装される。
【符号の説明】
【００７９】
100  システム
102  WANセルラー基地局1
104  WANセルラー基地局N
106  WANセル1、マクロセル
108  WANセル2
110  ネットワークノード
112  バックホールネットワーク
114  リンク
116  セルラーワイヤレス端末1
118  セルラーワイヤレス端末N
120  セルラーワイヤレス端末1'
122  セルラーワイヤレス端末N'
124  フェムト基地局1
126  フェムト基地局N
128  フェムトセル1
130  フェムトセルN
132  フェムトワイヤレス端末1、第1の通信デバイス
134  フェムトワイヤレス端末N
136  フェムトワイヤレス端末1'
138  フェムトワイヤレス端末N'
140  ピアツーピアネットワーク1
142  ピアツーピアネットワークN
144  ピアツーピアワイヤレス端末1、第1の通信デバイス
146  ピアツーピアワイヤレス端末N
148  ピアツーピアワイヤレス端末1'
150  ピアツーピアワイヤレス端末N'
300  第1の通信デバイス
302  プロセッサ
304  メモリ
306  入力モジュール
308  出力モジュール
309  バス
311  ルーチン
313  データ/情報
400  モジュールのアセンブリ
401  部分A
403  部分B
404  トラフィックデータを伝達するために前記基地局によって使用されているリソースブロックを識別するためのモジュール
406  制御情報を送信するために使用されるリソースブロックおよびトラフィックデータを送信するために使用されるリソースブロックを識別する基地局送信スケジューリング情報を格納するためのモジュール
408  前記第1の通信デバイスを前記基地局に同期させるためのモジュール
410  前記格納された基地局送信スケジューリング情報、および前記基地局との第1の通信デバイスのタイミング同期に基づいて、トラフィックデータを送信するために前記基地局によって使用されるリソースブロックを識別するためのモジュール
412  情報を送信するのに使用するために前記第1の通信デバイスに前記リソースブロック内で利用可能なトーンシンボルのセットを識別するためのモジュール
414  前記基地局によって使用されているリソースブロックのセットにおける限られた数の利用可能なトーンシンボル上でエネルギーを送信することによって、情報を伝達するためのモジュール
416  エネルギーが送信され得るリソースブロックのトーンシンボルのセットから、パイロットシンボルを送信するために前記基地局によって使用されるトーンシンボルを除外するためのモジュール
418  前記情報を伝達するために位置符号化を使用するためのモジュールであって、エネルギーが送信されるトーンシンボルのリソースブロック内の位置が情報を伝達するために使用される、モジュール
506  マクロセルサブフレーム用の例示的なエアリンクリソース、ブロック
602  制御サブフレーム用のエアリンクリソース
604  サブフレームのデータセグメント用のエアリンクリソース
【図１】
2015504281.tif 000003
【図２】
2015504281.tif 000004
【図３】
2015504281.tif 000005
【図４Ａ】
2015504281.tif 000006
【図４Ｂ】
2015504281.tif 000007
【図５】
2015504281.tif 000008
【図６】
2015504281.tif 000009
【図７】
2015504281.tif 000010
【図８】
2015504281.tif 000011
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
基地局(102または104)によっても使用されている通信リソースを使用して情報を伝達するように、前記基地局(102または104)のセル(106または108)内に位置する第1の通信デバイス(132または144)を動作させる方法であって、
トラフィックデータを伝達するために前記基地局(102または104)によって使用されているリソースブロックを識別するステップと、
情報を送信するのに使用するために前記第1の通信デバイス(132または144)に前記リソースブロック内で利用可能なトーンシンボルのセットを識別するステップと、
トラフィックデータを伝達するために前記基地局(102または104)によって使用されている識別されたリソースブロックのセットにおける限られた数の利用可能なトーンシンボル上でエネルギーを送信するステップによって、情報を伝達するステップであって、前記限られた数の利用可能なトーンシンボルは、識別されたリソースブロックの前記セットにおける各識別されたリソースブロック内の前記トーンシンボルの2パーセント未満を含み、前記伝達するステップが、前記情報を伝達するために位置符号化を使用するステップを含み、エネルギーが送信されるトーンシンボルの前記識別されたリソースブロック内の位置が、情報を伝達するために使用される、ステップと
を含む方法。
【請求項２】
識別されたリソースブロックのセットにおける限られた数の利用可能なトーンシンボル上でエネルギーを送信するステップが、トラフィックデータを送信するために前記第1の通信デバイスによって使用される最も高い送信電力レベル以上の送信電力レベルで個々のトーンシンボル上で電力を送信するステップを含む、請求項1に記載の方法。
【請求項３】
トラフィックデータを伝達するために前記基地局(102または104)によって使用されているリソースブロックを識別するステップが、
制御情報を送信するために使用されるリソースブロックおよびトラフィックデータを送信するために使用されるリソースブロックを識別する基地局送信スケジューリング情報を格納するステップと、
前記第1の通信デバイスを前記基地局(102または104)に同期させるステップと、
前記格納された基地局送信スケジューリング情報、および前記基地局(102または104)との前記第1の通信デバイスのタイミング同期に基づいて、トラフィックデータを送信するために前記基地局によって使用されるリソースブロックを識別するステップと
を含む、請求項1に記載の方法。
【請求項４】
情報を伝達するステップが、
エネルギーが送信され得る識別されたリソースブロックのトーンシンボルの前記セットから、パイロット信号を送信するために前記基地局(102または104)によって使用されるトーンシンボルを除外するステップを含む、請求項3に記載の方法。
【請求項５】
情報を伝達するステップが、情報を伝達するためにエネルギーが送信される前記限られた数のトーンシンボルのうちの少なくとも1つの位相を使用するステップをさらに含む、請求項4に記載の方法。
【請求項６】
前記基地局(102または104)によって使用されているリソースブロックのセットにおける限られた数の利用可能なトーンシンボル上でエネルギーを送信するステップが、各識別されたリソースブロックのわずか単一のトーンシンボル上でエネルギーを送信するステップを含む、請求項5に記載の方法。
【請求項７】
各リソースブロックが少なくとも50個のトーンシンボルを含む、請求項6に記載の方法。
【請求項８】
前記第1の通信デバイス(132または144)がピアツーピアワイヤレス端末である、請求項1に記載の方法。
【請求項９】
前記第1の通信デバイス(132)が、前記基地局(102)に対応するマクロセル(106)内に位置するフェムトセルデバイスである、請求項1に記載の方法。
【請求項１０】
トラフィックデータを伝達するために基地局によって使用されているリソースブロックを識別するための手段(404)と、
情報を送信するのに使用するために第1の通信デバイスに前記リソースブロック内で利用可能なトーンシンボルのセットを識別するための手段(412)と、
前記基地局によって使用されている識別されたリソースブロックのセットにおける限られた数の利用可能なトーンシンボル上でエネルギーを送信することによって、情報を伝達するための手段(414)であって、前記限られた数の利用可能なトーンシンボルは、識別されたリソースブロックの前記セットにおける各識別されたリソースブロック内の前記トーンシンボルの2パーセント未満を含み、前記伝達するための手段(414)が、前記情報を伝達するために位置符号化を使用するための手段(418)を含み、エネルギーが送信されるトーンシンボルの前記識別されたリソースブロック内の位置が、情報を伝達するために使用される、手段(414)と
を備える第1の通信デバイス(300)。
【請求項１１】
識別されたリソースブロックのセットにおける限られた数の利用可能なトーンシンボル上でエネルギーを送信することが、トラフィックデータを送信するために前記第1の通信デバイスによって使用される最も高い送信電力レベル以上の送信電力レベルで個々のトーンシンボル上で電力を送信することを含む、請求項10に記載の第1の通信デバイス(300)。
【請求項１２】
トラフィックデータを伝達するために前記基地局によって使用されているリソースブロックを識別するための前記手段(404)が、
制御情報を送信するために使用されるリソースブロックおよびトラフィックデータを送信するために使用されるリソースブロックを識別する基地局送信スケジューリング情報を格納するための手段(406)と、
前記第1の通信デバイスを前記基地局に同期させるための手段(408)と、
前記格納された基地局送信スケジューリング情報、および前記基地局との前記第1の通信デバイスのタイミング同期に基づいて、トラフィックデータを送信するために前記基地局によって使用されるリソースブロックを識別するための手段(410)と
を含む、請求項10に記載の第1の通信デバイス(300)。
【請求項１３】
情報を伝達するための前記手段(414)が、
エネルギーが送信され得る識別されたリソースブロックのトーンシンボルの前記セットから、パイロット信号を送信するために前記基地局によって使用されるトーンシンボルを除外するための手段(416)を含む、請求項12に記載の第1の通信デバイス(300)。
【請求項１４】
情報を伝達するための前記手段(414)が、情報を伝達するためにエネルギーが送信される前記限られた数のトーンシンボルのうちの少なくとも1つの位相を使用する、請求項13に記載の第1の通信デバイス(300)。
【請求項１５】
第1の通信デバイス(300)において使用するためのコンピュータプログラムであって、
少なくとも1つのコンピュータに、トラフィックデータを伝達するために基地局によって使用されているリソースブロックを識別させるためのコード(404)と、
前記少なくとも1つのコンピュータに、情報を送信するのに使用するために前記第1の通信デバイスに前記リソースブロック内で利用可能なトーンシンボルのセットを識別させるためのコード(412)と、
前記少なくとも1つのコンピュータに、前記基地局によって使用されている識別されたリソースブロックのセットにおける限られた数の利用可能なトーンシンボル上でエネルギーを送信することによって、情報を伝達させるためのコード(414)であって、前記限られた数の利用可能なトーンシンボルは、識別されたリソースブロックの前記セットにおける各識別されたリソースブロック内の前記トーンシンボルの2パーセント未満を含み、前記少なくとも1つのコンピュータに伝達させるためのコード(414)が、前記少なくとも1つのコンピュータに、前記情報を伝達するために位置符号化を使用させるためのコード(418)を含み、エネルギーが送信されるトーンシンボルの前記識別されたリソースブロック内の位置が、情報を伝達するために使用される、コード(414)と
を含む、コンピュータプログラム(300)。
【請求項１６】
トラフィックデータを伝達するために基地局によって使用されているリソースブロックを識別し、
情報を送信するのに使用するために第1の通信デバイスに前記リソースブロック内で利用可能なトーンシンボルのセットを識別し、
前記基地局によって使用されている識別されたリソースブロックのセットにおける限られた数の利用可能なトーンシンボル上でエネルギーを送信することによって、情報を伝達する
ように構成された少なくとも1つのプロセッサ(302)であって、前記限られた数の利用可能なトーンシンボルは、識別されたリソースブロックの前記セットにおける各識別されたリソースブロック内の前記トーンシンボルの2パーセント未満を含み、前記少なくとも1つのプロセッサ(302)が、前記情報を伝達するように構成されることの一部として、前記情報を伝達するために位置符号化を使用するように構成され、エネルギーが送信されるトーンシンボルの前記識別されたリソースブロック内の位置が、情報を伝達するために使用される、少なくとも1つのプロセッサ(302)と、
前記少なくとも1つのプロセッサ(302)に結合されたメモリ(304)と
を備える第1の通信デバイス(300)。
【請求項１７】
識別されたリソースブロックのセットにおける限られた数の利用可能なトーンシンボル上でエネルギーを送信することが、トラフィックデータを送信するために前記第1の通信デバイスによって使用される最も高い送信電力レベル以上の送信電力レベルで個々のトーンシンボル上で電力を送信することを含む、請求項16に記載の第1の通信デバイス(300)。
【請求項１８】
前記少なくとも1つのプロセッサ(302)が、
制御情報を送信するために使用されるリソースブロックおよびトラフィックデータを送信するために使用されるリソースブロックを識別する基地局送信スケジューリング情報を格納し、
前記第1の通信デバイスを前記基地局に同期させ、
トラフィックデータを伝達するために前記基地局によって使用されているリソースブロックを識別するように構成されることの一部として、前記格納された基地局送信スケジューリング情報、および前記基地局との前記第1の通信デバイスのタイミング同期に基づいて、トラフィックデータを送信するために前記基地局によって使用されるリソースブロックを識別する
ように構成される、請求項16に記載の第1の通信デバイス(300)。
【請求項１９】
前記少なくとも1つのプロセッサ(302)が、
情報を伝達するように構成されることの一部として、エネルギーが送信され得る識別されたリソースブロックのトーンシンボルの前記セットから、パイロット信号を送信するために前記基地局によって使用されるトーンシンボルを除外するように構成される、請求項18に記載の第1の通信デバイス(300)。
【請求項２０】
前記少なくとも1つのプロセッサ(302)が、前記情報を伝達するように構成されることの一部として、情報を伝達するためにエネルギーが送信される前記限られた数のトーンシンボルのうちの少なくとも1つの位相を使用するように構成される、請求項19に記載の第1の通信デバイス(300)。
【国際調査報告】
2015504281.tif 000012
2015504281.tif 000013
2015504281.tif 000014
2015504281.tif 000015
2015504281.tif 000016